(57)【要約】      （修正有）【課題】自動車が事故を起こした場合、安全装置が作動可能であったことを条件に保証を適用させる保証適用判断システムを提供する。【解決手段】保証適用判断システムは１０、自動車２２のバッテリが放電した場合にも、記憶内容が保持される不揮発性メモリ、安全装置が作動可能な状態に設定されているか否かを不揮発性メモリに書き込む設定書込部、および自動車が事故を起こした場合に、不揮発性メモリに書き込まれた安全装置の設定状態を自動車の外部へ出力する出力部を有する自動車と、自動車が事故を起こした場合に、安全装置の設定状態を自動車の出力部から受け取り、設定状態に基づいて保証が適用されるか否かを判断して保証の対象者に通知する保証適用通知部とを備える。【選択図】図１
2005153771.tif 000002
【特許請求の範囲】
【請求項１】
自動車運転の安全性を高める安全装置を有する自動車であって、
前記自動車のバッテリが放電した場合にも、記憶内容が保持される不揮発性メモリと、
前記安全装置が作動可能な状態に設定されているか否かを前記不揮発性メモリに書き込む書込部と、
前記自動車が事故を起こした場合に、前記不揮発性メモリに書き込まれた前記安全装置の設定状態を前記自動車の外部へ出力する出力部と
を備える自動車。
【請求項２】
前記安全装置が作動可能な状態に設定されていない場合に、前記保証が適用されない旨を前記自動車の運転者に通知する通知部を更に備える請求項１に記載の自動車。
【請求項３】
前記書込部は、前記安全装置の設定状態が変更される都度、新たな設定状態を前記不揮発性メモリに書き込む請求項１に記載の自動車。
【請求項４】
前記安全装置は、前方の車両との間に所望の車間距離を保持する追従走行装置を含む請求項１に記載の自動車。
【請求項５】
前記安全装置は、暗くなったときに前照灯を自動的に点灯させる自動点灯装置を含む請求項１に記載の自動車。
【請求項６】
前記運転者に関する情報を取得する運転者情報取得部を更に備え、
前記書込部は、前記運転者情報取得部が取得した前記運転者に関する情報を、前記不揮発性メモリに更に書き込み、
前記出力部は、前記自動車が事故を起こした場合に、前記不揮発性メモリに書き込まれた前記運転者に関する情報を前記自動車の外部へ出力する請求項１に記載の自動車。
【請求項７】
前記運転者に関する情報は、前記運転者の健康状態に関する情報であり、
前記出力部は、前記自動車が事故を起こした場合に、前記不揮発性メモリに書き込まれた前記運転者の健康状態に関する情報を前記自動車の外部へ出力する請求項６に記載の自動車。
【請求項８】
自動車運転の安全性を高める安全装置を有する自動車が事故を起こした場合に当該事故に対して保証を適用するか否かを判断する保証適用判断システムであって、
前記自動車のバッテリが放電した場合にも、記憶内容が保持される不揮発性メモリ、
前記安全装置が作動可能な状態に設定されているか否かを前記不揮発性メモリに書き込む書込部、および
前記自動車が事故を起こした場合に、前記不揮発性メモリに書き込まれた前記安全装置の設定状態を前記自動車の外部へ出力する出力部
を有する自動車と、
前記自動車が事故を起こした場合に、前記安全装置の設定状態を前記自動車の前記出力部から受け取り、前記設定状態に基づいて前記保証が適用されるか否かを判断して前記保証の対象者に通知する保証適用通知部と
を備える保証適用判断システム。
【請求項９】
前記自動車は、当該自動車が事故を起こしたか否かを検出する事故検出部を更に備え、
前記出力部は、前記自動車の外部に設けられた基地局と無線で通信する無線通信部を有し、
前記無線通信部は、前記自動車が事故を起こした場合に、前記自動車の識別情報および前記安全装置の設定状態を前記基地局へ送信し、
前記保証適用通知部は、前記基地局を介して前記自動車の識別情報および前記安全装置の設定状態を前記出力部から受け取って前記保証が適用されるか否かを判断する請求項８に記載の保証適用判断システム。
【請求項１０】
自動車運転の安全性を高める安全装置を有する自動車が事故を起こした場合に当該事故に対して適用する保証の自己負担割合を算出する自己負担割合算出システムであって、
記憶内容が保持される不揮発性メモリと、
前記安全装置が作動可能な状態に設定されているか否かを示す設定履歴を、前記不揮発性メモリに書き込む書込部と、
前記安全装置が作動可能な状態に設定されている割合と、前記自己負担割合とを対応付けて格納するデータベースと、
前記不揮発性メモリに書き込まれた前記設定履歴に基づいて、前記安全装置が作動可能な状態に設定されている割合を算出すると共に、当該割合に対応する前記自己負担割合を前記データベースから読み出す自己負担割合読出部と
を備える自己負担割合算出システム。
【発明の詳細な説明】
【技術分野】
【０００１】
本発明は、自動車、保証適用判断システム、および自己負担割合算出システムに関する。特に本発明は、自動車運転の安全性を高める安全装置を有する自動車に関する。
【背景技術】
【０００２】
近年、自動車に関する技術の発達に伴い、自動車が備える安全装置の性能が高まっている。安全装置としては、例えば、前方の車両との距離を監視し、所定の距離以下である場合に警告を発する、または減速させることにより、前方の車両との車間距離を所定の距離に保つ追従走行システムが知られている（例えば、非特許文献１参照。）。
【非特許文献１】インターネット＜http://www.daihatsu.co.jp/its/intelligence/lane.htm＞
【発明の開示】
【発明が解決しようとする課題】
【０００３】
しかし、追従走行システム等の安全装置の中には、通常は作動可能に設定されるが、運転者が所望の車間距離をとれるように、運転者の操作によって停止させることができるものがある。そのため、安全装置が自動車に装備されているにもかかわらず、運転者が安全装置を停止させることにより、事故発生時に安全装置が作動しない場合があった。
【０００４】
また、安全装置の高性能化に伴い、今後、安全装置を作動可能に設定していたにもかかわらず事故が発生した場合に、自動車の製造業者等がその事故を保証することが想定される。しかし、安全装置の中には、運転者の操作によって、停止させることができるものがある。そのため、自動車の製造業者等は、自動車が事故を起こした場合にその事故を保証するためには、安全装置を作動可能に設定していたにもかかわらず発生した事故であることを確認する必要がある。
【０００５】
そこで本発明は、上記の課題を解決することのできる自動車、保証適用判断システム、および自己負担割合算出システムを提供することを目的とする。この目的は特許請求の範囲における独立項に記載の特徴の組み合わせにより達成される。また従属項は本発明の更なる有利な具体例を規定する。
【課題を解決するための手段】
【０００６】
本発明の第１の形態は、自動車運転の安全性を高める安全装置を有する自動車であって、自動車のバッテリが放電した場合にも、記憶内容が保持される不揮発性メモリと、安全装置が作動可能な状態に設定されているか否かを不揮発性メモリに書き込む書込部と、自動車が事故を起こした場合に、不揮発性メモリに書き込まれた安全装置の設定状態を自動車の外部へ出力する出力部とを備える。自動車が事故を起こした場合、自動車の外部において、安全装置が作動可能に設定されていたか否かを知ることができるので、事故発生時の安全装置の設定状態に基づいて保証が適用されるか否かを、自動車の外部において判断することができる。
【０００７】
上記した自動車は、安全装置が作動可能な状態に設定されていない場合に、保証が適用されない旨を自動車の運転者に通知する通知部を更に備えてもよい。
【０００８】
書込部は、安全装置の設定状態が変更される都度、新たな設定状態を不揮発性メモリに書き込むことが好ましい。
【０００９】
安全装置は、前方の車両との間に所望の車間距離を保持する追従走行装置を含んでもよい。また、安全装置は、暗くなったときに前照灯を自動的に点灯させる自動点灯装置を含んでもよい。
【００１０】
自動車は、運転者に関する情報を取得する運転者情報取得部を更に備え、書込部は、運転者情報取得部が取得した運転者に関する情報を、不揮発性メモリに更に書き込み、出力部は、自動車が事故を起こした場合に、不揮発性メモリに書き込まれた運転者に関する情報を自動車の外部へ出力してもよい。この場合、運転者に関する情報は、運転者の健康状態に関する情報であってよく、出力部は、自動車が事故を起こした場合に、不揮発性メモリに書き込まれた運転者の健康状態に関する情報を自動車の外部へ出力してもよい。
【００１１】
本発明の第２の形態は、自動車運転の安全性を高める安全装置を有する自動車が事故を起こした場合に当該事故に対して保証を適用するか否かを判断する保証適用判断システムであって、自動車のバッテリが放電した場合にも、記憶内容が保持される不揮発性メモリ、安全装置が作動可能な状態に設定されているか否かを不揮発性メモリに書き込む書込部、および自動車が事故を起こした場合に、不揮発性メモリに書き込まれた安全装置の設定状態を自動車の外部へ出力する出力部を有する自動車と、自動車が事故を起こした場合に、安全装置の設定状態を自動車の出力部から受け取り、設定状態に基づいて保証が適用されるか否かを判断して保証の対象者に通知する保証適用通知部とを備える。保証適用通知部が自動車の外部にあるので、自動車の事故により、保証適用通知部は故障しない。従って、自動車が事故を起こした場合に、自動車の不揮発性メモリが故障していない場合において、不揮発性メモリの内容に基づいて保証の適用を判断することができる。
【００１２】
自動車は、当該自動車が事故を起こしたか否かを検出する事故検出部を更に備え、出力部は、自動車の外部に設けられた基地局と無線で通信する無線通信部を有し、無線通信部は、自動車が事故を起こした場合に、自動車の識別情報および安全装置の設定状態を基地局へ送信し、保証適用通知部は、基地局を介して自動車の識別情報および安全装置の設定状態を出力部から受け取って保証が適用されるか否かを判断する。
【００１３】
本発明の第３の形態は、自動車運転の安全性を高める安全装置を有する自動車が事故を起こした場合に当該事故に対して適用する保証の自己負担割合を算出する自己負担割合算出システムであって、記憶内容が保持される不揮発性メモリと、安全装置が作動可能な状態に設定されているか否かを示す設定履歴を、不揮発性メモリに書き込む書込部と、安全装置が作動可能な状態に設定されている割合と、自己負担割合とを対応付けて格納するデータベースと、不揮発性メモリに書き込まれた設定履歴に基づいて、安全装置が作動可能な状態に設定されている割合を算出すると共に、当該割合に対応する自己負担割合をデータベースから読み出す自己負担割合読出部とを備える。これにより、自己負担割合算出システムは、自動車が事故を起こした場合に、安全装置を作動可能に設定する割合の高い保証の対象者の自己負担割合を低く算出することができる。そのため、保証の対象者が運転する場合に、自己負担割合算出システムは、運転者に安全装置を作動可能に設定するよう促すことができる。従って、自己負担割合算出システムは、運転者により安全に運転させることができる。
【００１４】
なお、上記の発明の概要は、本発明の必要な特徴の全てを列挙したものではなく、これらの特徴群のサブコンビネーションもまた、発明となりうる。
【発明を実施するための最良の形態】
【００１５】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１６】
図１は、本発明の一実施形態に係る保証適用判断システム１０の構成を示す。保証適用判断システム１０は、自動車２２、基地局１２、通信網１４、およびサーバ３０を備える。自動車２２は、走行記録部２０を有する。走行記録部２０は、自動車２２が有する安全装置の設定状態を記録する。本実施形態の保証適用判断システム１０は、自動車２２が事故を起こした場合に、自動車２２の安全装置が作動可能に設定されていたことを条件に保証を適用させる。
【００１７】
走行記録部２０は、自動車２２が事故を起こした場合に、例えば無線通信等により、事故発生時の安全装置の設定状態を基地局１２へ送る。基地局１２は、通信網１４に接続され、走行記録部２０から受信した安全装置の設定状態を、通信網１４を介して、同じく通信網１４に接続されているサーバ３０へ送る。基地局１２とは、例えば携帯電話、無線ＬＡＮ等の基地局を指す。サーバ３０は、基地局１２および通信網１４を介して走行記録部２０から受け取った事故発生時の安全装置の設定状態に基づいて、その事故に対して保証を適用するか否かを判断する。そして、サーバ３０は、判断結果を、その保証が適用される対象者に通知する。保証の対象者とは、例えば自動車２２の所有者である。
【００１８】
ここで、本例において、保証にかかる費用は、例えば自動車の車体価格に含まれており、自動車の製造業者は、自動車が購入されると共に自動車の所有者に保証を適用する。また、他の例として、自動車の車体価格とは別に保証を適用するための費用を支払うことにより、自動車の所有者が保証の適用を受けるか否かを選択できるようにしてもよい。
【００１９】
図２は、走行記録部２０の機能構成の一例を示す。走行記録部２０は、事故検出部２０２、通知部２０４、書込部２０６、不揮発性メモリ２０８、走行距離管理部２１０、無線通信部２１２、運転者情報取得部２１４、および安全装置２２０を備える。安全装置２２０は、追従走行装置２２２および自動点灯装置２２４を有する。追従走行装置２２２は、前方の自動車２２との距離を監視し、所定の距離以下である場合に、例えば運転者に警告を発する、または自動車２２を減速させる。追従走行装置２２２は、前方の自動車２２との間に所望の車間距離を保持することにより、自動車運転の安全性を高める。運転者が自由に車間距離をとることができるように、運転者の操作によって、追従走行装置２２２は作動を停止する。自動点灯装置２２４は、自動車２２の周囲の明るさを検出し、暗くなったときに自動車２２の前照灯を自動的に点灯させることにより、自動車運転の安全性を高める。日中でも前照灯を点灯させることができるように、運転者の操作によって、自動点灯装置２２４は、作動を停止する。
【００２０】
自動車２２の製造業者は安全に走行する車を製造したいので、出荷後の追従走行装置２２２および自動点灯装置２２４の初期状態は、作動可能な状態に設定される。しかし、追従走行装置２２２および自動点灯装置２２４は、運転者の操作によって作動停止にされる場合がある。そのため、自動車２２が事故を起こした場合に保証を適用させるためには、事故発生時に、追従走行装置２２２および自動点灯装置２２４が作動可能であったことを確認する必要がある。
【００２１】
運転者情報取得部２１４は、自動車２２の運転者に関する情報を取得する。運転者情報取得部２１４は、例えば、運転者の顔を撮像し、予め格納されている保証の対象者の顔画像と比較することにより、運転者が保証の対象者であるか否かを判定する。また、運転者情報取得部２１４は、運転者に関する情報として、飲酒の有無、居眠りの有無等の運転者の健康状態に関する情報を取得してもよい。
【００２２】
書込部２０６は、安全装置２２０が作動可能な状態に設定されているか否かを不揮発性メモリ２０８に書き込む。この場合、書込部２０６は、安全装置２２０の設定状態が変更される都度、新たな設定状態を不揮発性メモリ２０８に書き込む。これにより、自動車２２が事故を起こす直前の安全装置２２０の設定状態を不揮発性メモリ２０８に記憶させることができる。また、書込部２０６は、運転者情報取得部２１４が取得した運転者に関する情報を不揮発性メモリ２０８に書き込む。
【００２３】
不揮発性メモリ２０８は、自動車２２の識別情報と、自動車２２の走行距離の累積である累積走行距離と、安全装置２２０が作動可能に設定されながら走行した距離の累積である設定走行距離と、安全装置２２０の設定状態と、運転者情報取得部２１４が取得した運転者に関する情報とを記憶する。不揮発性メモリ２０８は、自動車２２のバッテリが放電した場合にも、記憶内容を保持する。不揮発性メモリ２０８が格納する設定走行距離は、本発明における設定履歴の一例である。走行距離管理部２１０は、自動車２２の走行距離を計測し、不揮発性メモリ２０８の累積走行距離を随時更新する。また、走行距離管理部２１０は、不揮発性メモリ２０８を参照して、作動可能に設定されている安全装置２２０の設定走行距離を随時更新する。
【００２４】
通知部２０４は、不揮発性メモリ２０８を参照して、安全装置２２０が作動可能な状態に設定されているか否かを判断する。安全装置２２０が作動可能な状態に設定されていない場合、通知部２０４は、事故発生時に保証が適用されない旨を自動車２２の運転者に通知する。通知部２０４は、例えば表示画面や音声等により運転者に通知する。これにより、通知部２０４は、運転者に、安全装置２２０を忘れずに設定させることができる。
【００２５】
安全装置２２０が作動可能な状態に設定されていない場合、通知部２０４は、事故発生時に自己負担割合が増加する旨を運転者に通知してもよい。自己負担割合とは、自動車２２が起こした事故に対して保証を受けることができる場合に、その事故によって発生した損害に対して、保証の対象者が金銭を負担する割合である。これにより、安全装置２２０を作動可能な状態に設定するように、運転者を促すことができる。
【００２６】
事故検出部２０２は、例えば加速度センサであり、事故発生時の衝撃を検出することにより、自動車２２が事故を起こしたか否かを検出する。無線通信部２１２は、自動車２２の外部に設けられた基地局１２と無線で通信する。無線通信部２１２は、事故検出部２０２が事故を検出した場合、不揮発性メモリ２０８を参照して、自動車２２の識別情報と、安全装置２２０の設定状態と、運転者に関する情報と、累積走行距離と、追従走行装置２２２および自動点灯装置２２４の設定走行距離とを基地局１２へ送信する。無線通信部２１２は、本発明における出力部の一例である。
【００２７】
ここで、自動車２２が事故を起こした場合、自動車２２の損傷によって、例えば燃料が漏れ、自動車２２の電気系統から発生する火花等によって火災が発生する場合がある。この場合、走行記録部２０は、事故発生時には故障していない場合であっても、その後の火災によって故障する場合がある。無線通信部２１２が、事故発生時に安全装置２２０の設定状態を無線通信によりサーバ３０へ通知するので、事故の通報を受けてから調査員が事故現場へ赴き、安全装置２２０の設定状態を確認する場合に比べて、サーバ３０は、安全装置２２０の設定状態を迅速に受け取ることができる。従って、サーバ３０は、保証の適用を判断するために必要な安全装置２２０の設定状態を、より確実に受け取ることができる。
【００２８】
なお、他の例として、出力部は、無線通信部２１２に代えて、コネクタであってもよい。この場合、走行記録部２０は、携帯可能な端末または無線通信機能を有する端末等にコネクタを介して接続することにより、その端末を介して、安全装置２２０の設定状態をサーバ３０へ送ってもよい。この場合、走行記録部２０が安全装置２２０の設定状態を送信するために必要な電力を確保できない場合であっても、走行記録部２０は、安全装置２２０の設定状態をサーバ３０へ送ることができる。
【００２９】
図３は、サーバ３０の機能構成の一例を示す。サーバ３０は、保証適用通知部３０２、自己負担割合読出部３０４、およびデータベース３０６を備える。保証適用通知部３０２は、自動車２２が事故を起こした場合に、安全装置２２０の設定状態を自動車２２の無線通信部２１２から受け取る。そして、保証適用通知部３０２は、受け取った安全装置２２０の設定状態に基づいて、保証が適用されるか否かを判断して保証の対象者に通知する。保証適用通知部３０２は、保証の適用または不適用を、例えば電話、郵便物、電子メール等によって保証の対象者に通知する。保証適用通知部３０２が自動車２２の外部にあるので、自動車２２の事故により、保証適用通知部３０２は故障しない。従って、事故発生時に、自動車２２の不揮発性メモリ２０８が故障していない場合において、保証適用通知部３０２は、不揮発性メモリ２０８の内容に基づいて保証の適用を判断することができる。
【００３０】
本例において、運転者情報には、運転者が保証の対象者であるか否かを示す情報が含まれている。これにより、自動車２２が事故を起こした場合に、サーバ３０は、事故を起こした自動車２２の運転者が保証の対象者であることを条件に保証を適用させることができる。また、運転者情報には、飲酒の有無、居眠りの有無等の運転者の健康状態に関する情報が含まれていてもよい。これにより、自動車２２が事故を起こした場合に、サーバ３０は、運転者の健康状態に基づいて、事故を起こした自動車２２の運転者が保証の適用を受けることができるか否かを判断することができる。
【００３１】
他の例において、保証適用通知部３０２は、安全装置２２０の設定状態に基づいて保証が適用されるか否かを判断した後に、判断結果を格納してもよい。そして、保証適用通知部３０２は、問い合わせに応じて当該判断結果を保証の対象者に通知してもよい。これにより、保証の対象者が運転者であって、事故により運転者が意識を失った場合であっても、運転者の意識の回復後に、判断結果を確実に運転者に通知することができる。
【００３２】
データベース３０６は、自動車２２の安全装置２２０が作動可能な状態に設定されている割合と自己負担割合とを自動車２２の識別情報に対応付けて格納している。さらに、データベース３０６は、複数の自己負担割合を、自動車２２の安全装置２２０が作動可能な状態に設定されている割合である設定率に対応付けて格納している。自己負担割合読出部３０４は、走行記録部２０から受け取った累積走行距離と、追従走行装置２２２および自動点灯装置２２４の設定走行距離とに基づいて、追従走行装置２２２および自動点灯装置２２４の設定率をそれぞれ算出する。そして、自己負担割合読出部３０４は、算出したそれぞれの設定率に対応する自己負担割合をデータベース３０６からそれぞれ読み出す。そして、自己負担割合読出部３０４は、読み出した複数の自己負担割合を平均することによりその事故に対する自己負担割合を算出し、保証の対象者に通知する。
【００３３】
なお、他の例において、サーバ３０は、事故状況を査定する査定員が携帯する端末であってもよい。保証適用判断システム１０は、本発明における自己負担割合算出システムの一例である。
【００３４】
図４は、不揮発性メモリ２０８に格納されたデータの構成の一例を示す。不揮発性メモリ２０８は、識別情報と、累積走行距離と、運転者情報と、追従走行装置２２２および自動点灯装置２２４に関する情報とを記憶している。累積走行距離は、自動車２２の走行距離の累積である。運転者情報は、運転者が保証の対象者本人であるか否かを示す情報、および飲酒の有無を示す情報を含む。
【００３５】
追従走行装置２２２および自動点灯装置２２４に関する情報は、追従走行装置２２２および自動点灯装置２２４が作動可能に設定されているか否かを示す情報、および追従走行装置２２２および自動点灯装置２２４の設定走行距離を有する。自動車２２が事故を起こした場合、サーバ３０の保証適用通知部３０２は、運転者情報と、追従走行装置２２２および自動点灯装置２２４の設定状態とを参照することにより、保証が適用されるか否かを判断することができる。また、サーバ３０の自己負担割合読出部３０４は、累積走行距離と、追従走行装置２２２および自動点灯装置２２４のそれぞれの設定走行距離とを参照することにより、設定率をそれぞれ算出することができる。
【００３６】
図５は、データベース３０６に格納されたデータの構成の一例を示す。データベース３０６は、設定率、自己負担割合、および安全装置の設定項目を、識別情報に対応付けて格納している。設定率の欄は、それぞれの安全装置の設定率の範囲を示している。データベース３０６は、低い設定率に対して高い自己負担割合を対応させて格納している。なお、自己負担割合読出部３０４は、算出した設定率を百分率で算出する。この場合、自己負担割合読出部３０４は、設定率の小数点以下を切り捨てて算出する。そのため、設定率が６０．４％であった場合、自己負担割合読出部３０４は、設定率を６０％と算出する。このとき、対応する設定率の範囲は、３１〜６０％になる。
【００３７】
自己負担割合読出部３０４は、追従走行装置２２２および自動点灯装置２２４の設定率をそれぞれ算出する。そして、自己負担割合読出部３０４は、追従走行装置２２２および自動点灯装置２２４の設定率に対応する自己負担割合を、データベース３０６から読み出す。算出したそれぞれの設定率に対応する自己負担割合がそれぞれ異なる場合、読み出した複数の自己負担割合を平均することにより、自己負担割合読出部３０４は、その事故に対する自己負担割合を算出し、保証の対象者に通知する。
【００３８】
データベース３０６が低い設定率に対応して高い自己負担割合を対応させて格納しているので、保証適用判断システム１０は、安全装置２２０を作動可能に設定する割合が高い保証の対象者の自己負担割合を低く算出する。これにより、保証適用判断システム１０は、安全装置２２０を作動可能に設定するように保証の対象者を促すことができる。従って、保証適用判断システム１０は、保証の対象者により安全に運転させることができる。
【００３９】
図６は、走行記録部２０の動作の一例を示すフローチャートである。例えばエンジンが起動される等の所定のタイミングで、本フローチャートに示す走行記録部２０の動作が開始する。まず、運転者情報取得部２１４は、運転者情報を取得する。そして、書込部２０６は、運転者情報取得部２１４が取得した運転者情報を不揮発性メモリ２０８へ書き込む（Ｓ１００）。このとき、通知部２０４は、不揮発性メモリ２０８を参照して、例えば、運転者が保証の対象者ではない場合、または運転者が飲酒状態である場合に、保証が適用されない旨を運転者に通知してもよい。これにより、保証が適用されない運転を、運転者に控えさせることができる。
【００４０】
次に、書込部２０６は、追従走行装置２２２および自動点灯装置２２４の安全装置２２０の設定状態を不揮発性メモリ２０８へ書き込む（Ｓ１０２）。そして、通知部２０４は、不揮発性メモリ２０８を参照して、安全装置２２０が作動可能に設定されているか否かを判定する（Ｓ１０４）。安全装置２２０が作動可能に設定されている場合（Ｓ１０４：Ｙｅｓ）、事故検出部２０２は、自動車２２が事故を起こしたか否かを判定する（Ｓ１０８）。
【００４１】
安全装置２２０が作動可能に設定されていない場合（Ｓ１０４：Ｎｏ）、通知部２０４は、自動車２２が事故を起こした場合に保証が適用されない旨を運転者に通知する（Ｓ１０６）。この場合、通知部２０４は、事故発生時に自己負担割合が増加する旨を更に通知してもよい。次に、事故検出部２０２は、自動車２２が事故を起こしたか否かを判定する（Ｓ１０８）。自動車２２が事故を起こした場合（Ｓ１０８：Ｙｅｓ）、無線通信部２１２は、不揮発性メモリ２０８に格納された識別情報、運転者情報、および安全装置２２０の設定状態をサーバ３０へ送信し（Ｓ１１０）、本フローチャートに示す走行記録部２０の動作は終了する。自動車２２が事故を起こしていない場合（Ｓ１０８：Ｎｏ）、運転者情報取得部２１４は、再び、運転者に関する情報を取得し、書込部２０６は、運転者情報取得部２１４が取得した運転者に関する情報を不揮発性メモリ２０８へ書き込む（Ｓ１００）。
【００４２】
図７は、サーバ３０の動作の一例を示すフローチャートである。不揮発性メモリ２０８の内容を走行記録部２０から受け取ることにより、本フローチャートに示すサーバ３０の動作が開始する。保証適用通知部３０２は、追従走行装置２２２および自動点灯装置２２４の設定状態に基づいて、追従走行装置２２２および自動点灯装置２２４が作動可能であったか否かを判定する（Ｓ２００）。追従走行装置２２２および自動点灯装置２２４が作動可能であった場合（Ｓ２００：Ｙｅｓ）、保証適用通知部３０２は、運転者情報に基づいて、運転者が保証の対象者であったか否かを判定する（Ｓ２０２）。運転者が保証の対象者であった場合（Ｓ２０２：Ｙｅｓ）、保証適用通知部３０２は、運転者情報に基づいて、飲酒運転であったか否かを判定する（Ｓ２０４）。
【００４３】
飲酒運転ではなかった場合（Ｓ２０４：Ｎｏ）、自己負担割合読出部３０４は、累積走行距離と、追従走行装置２２２および自動点灯装置２２４のそれぞれの設定走行距離とに基づいて、追従走行装置２２２および自動点灯装置２２４の設定率をそれぞれ算出する（Ｓ２０６）。そして、自己負担割合読出部３０４は、算出した設定率に対応する自己負担割合を、データベース３０６から読み出す（Ｓ２０８）。そして、保証適用通知部３０２は、保証が適用される旨を保証の対象者へ通知し、自己負担割合読出部３０４は、算出した自己負担割合を保証の対象者へ通知し（Ｓ２１６）、本フローチャートに示すサーバ３０の動作は終了する。ステップ２１６において、算出したそれぞれの設定率に対応する自己負担割合がそれぞれ異なる場合、読み出した複数の自己負担割合を平均することにより、自己負担割合読出部３０４は、その事故に対する自己負担割合を算出する。
【００４４】
追従走行装置２２２および自動点灯装置２２４のいずれかが作動可能ではなかった場合（Ｓ２００：Ｎｏ）、運転者が保証の対象者ではなかった場合（Ｓ２０２：Ｎｏ）、および飲酒運転であった場合（Ｓ２０４：Ｙｅｓ）のいずれかの場合、保証適用通知部３０２は、保証が適用されない旨を保証の対象者に通知し（Ｓ２１８）、本フローチャートに示すサーバ３０の動作は終了する。
【００４５】
本例において、追従走行装置２２２および自動点灯装置２２４を作動可能に設定していない場合に自動車２２が事故を起こすと、保証は適用されない。この場合、他の例として、保証適用判断システム１０は、発生した事故の保証を保険会社へ依頼してもよい。このとき、サーバ３０が事故発生時に走行記録部２０から受け取った安全装置２２０の設定状態、および運転者情報を、保証を依頼する保険会社へ送信してもよい。これにより、保証を依頼された保険会社は、より速やかに事故を査定することができる。
【００４６】
なお、本例において、自動車２２が事故を起こした場合に、安全装置２２０の設定状態に応じて、その自動車２２の製造業者がその事故を保証するか否か判断するが、他の例として、自動車２２が事故を起こした場合に、安全装置２２０の設定状態に応じて、運転者が加入している自動車保険等の保険会社がその事故に対して保険を適用するか否かを判断してもよい。この場合も、自動車２２が事故を起こした場合に、自動車２２の安全装置２２０が作動可能に設定されていたことを条件に保険を適用させることができる。
【００４７】
また、本例において、自動車２２が事故を起こした場合に、安全装置２２０の設定率に応じて、その事故に対する自己負担割合が変更されるが、他の例として、安全装置２２０の設定率に応じて、加入している自動車保険等の料率が更新されてもよい。この場合も、安全装置２２０を作動可能に設定する割合の高い加入者の料率を低く更新することができる。そのため、運転者に安全装置２２０を作動可能に設定するよう促すことができ、運転者により安全に運転させることができる。
【００４８】
上記説明から明らかなように、本実施形態の保証適用判断システム１０によれば、自動車２２が事故を起こした場合、安全装置２２０が作動可能であったことを条件に保証を適用させることができる。また、安全装置２２０が作動可能に設定されていた割合が高い場合に、事故発生時の自己負担割合を低く算出することにより、保証の対象者に安全装置２２０を作動可能に設定するよう促し、安全に運転させることができる。
【００４９】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００５０】
【図１】本発明の一実施形態に係る保証適用判断システム１０の構成を示す図である。
【図２】走行記録部２０の機能構成の一例を示す図である。
【図３】サーバ３０の機能構成の一例を示す図である。
【図４】不揮発性メモリ２０８に格納されたデータの構成の一例を示す図である。
【図５】データベース３０６に格納されたデータの構成の一例を示す図である。
【図６】走行記録部２０の動作の一例を示すフローチャートである。
【図７】サーバ３０の動作の一例を示すフローチャートである。
【符号の説明】
【００５１】
１０・・・保証適用判断システム、１２・・・基地局、１４・・・通信網、２０・・・走行記録部、２０２・・・事故検出部、２０４・・・通知部、２０６・・・書込部、２０８・・・不揮発性メモリ、２１０・・・走行距離管理部、２１２・・・無線通信部、２１４・・・運転者情報取得部、２２０・・・安全装置、２２２・・・追従走行装置、２２４・・・自動点灯装置、２２・・・自動車、３０・・・サーバ、３０２・・・保証適用通知部、３０４・・・自己負担割合読出部、３０６・・・データベース
【図１】
2005153771.tif 000003
【図２】
2005153771.tif 000004
【図３】
2005153771.tif 000005
【図４】
2005153771.tif 000006
【図５】
2005153771.tif 000007
【図６】
2005153771.tif 000008
【図７】
2005153771.tif 000009